(57)【特許請求の範囲】
【請求項１】
外壁開口部に固定される枠体と、この枠体内部に固定される固定障子とを備えた建具であって、
前記枠体は、上枠、下枠、および左右の縦枠からなる枠材を四周枠組みして形成され、前記上枠および下枠、または前記左右の縦枠には、室内外一対の可動障子を左右または上下に案内可能な室内外の案内部が設けられ、
前記固定障子は、上框、下框、および左右の縦框を四周框組みした内部に嵌め込んだ面材を有し、かつ前記枠体の開口内部に収まる大きさを有して形成されるとともに、前記枠体における室内外いずれかの案内部に対応した見込み位置に固定手段を介して固定され、
前記固定障子が前記室内側案内部に対応した見込み位置に固定された場合において、これらの案内部を有した枠材と交差する一対の枠材のうち、少なくとも一方の枠材には、前記固定障子の室外側と対向する対向部を有する着脱部材が取り付けられ、
前記固定障子が前記室外側案内部に対応した見込み位置に固定された場合において、これらの案内部を有した枠材と交差する一対の枠材のうち、少なくとも一方の枠材には、前記固定障子の室内側と対向する対向部を有する着脱部材が取り付けられている建具。
【請求項２】
前記室内外の案内部は、それぞれ室内側下部可動障子と室外側上部可動障子とを上下スライド案内可能に前記左右の縦枠に設けられており、
前記固定障子が前記室内側案内部に対応した見込み位置に固定された場合には、前記着脱部材は、前記上枠の下側を覆って設けられるとともに、前記固定障子の室外側面と気密材を介して当接する室外気密部が前記対向部に形成され、
前記固定障子が前記室外側案内部に対応した見込み位置に固定された場合には、前記着脱部材は、前記下枠の上側を覆って設けられるとともに、前記固定障子の室内側面と気密材を介して当接する室内気密部が前記対向部に形成されている請求項１に記載の建具。
【請求項３】
前記固定障子の上框、下框、および左右の縦框のうちの三方の框材は、前記可動障子の召合せ框を除く三方の框材と同一断面を有して形成されている請求項１または請求項２に記載の建具。
【請求項４】
前記固定手段は、前記上枠、下枠、および左右の縦枠のうちの互いに対向する一対の枠材と、これら一対の枠材に近接対向する前記固定障子の上框、下框、および左右の縦框のうちの一対の框材とを互いに固定するものであって、前記一対の枠材に設けられた支持片および係止溝と、前記一対の框材に設けられて前記支持片に室内側から当接可能な当接片と、前記係止溝に挿通可能な挿通部を有しかつ前記一対の框材に室内側から当接可能な固定部材と、この固定部材を室内側から前記一対の框材に固着する固着具とを有して構成され、
前記固定障子を前記枠体内部に室内側からセットした状態において、前記挿通部を前記係止溝に挿通させ、前記一対の框材に固定部材を当接させるとともに、この固定部材を当該一対の框材に前記固着具で固着することで、前記当接片が前記支持片に室内側から当接して見込み方向に移動不能に当該固定障子が固定される請求項１から請求項３のいずれかに記載の建具。
【請求項５】
前記固定部材には、当該固定部材の室内側を覆うカバー材を係止する係止部が形成されている請求項４に記載の建具。
【発明の詳細な説明】
【技術分野】
【０００１】
本発明は、建具に関し、詳しくは、外壁開口部に固定される枠体と、この枠体内部に固定される固定障子とを備えた建具に関する。
【背景技術】
【０００２】
従来、住宅等の外壁開口部に設けられる建具（サッシ窓）として、窓枠（枠体）内部に障子を固定した嵌め殺し窓（Ｆｉｘ窓）が知られている（例えば、特許文献１参照）。
この嵌め殺し窓では、窓枠を構成する上枠、下枠および左右の縦枠の各々に見付け方向内方に突出した突片（張出片）が形成され、これらの突片に気密材を介して室外側から障子の上框、下框および左右の縦框の各々を当接して障子が取り付けられるようになっている。さらに、障子の縦框に設けた取付部材を、縦枠の突片に形成した開口を介して室内側に挿通させるとともに、突片の室内面に沿った固定材を取付部材の貫通孔に挿入することで、障子の室外側への移動を規制して窓枠に障子が固定されるようになっている。
【０００３】
【特許文献１】特許第３４１１５３５号公報
【発明の開示】
【発明が解決しようとする課題】
【０００４】
しかしながら、特許文献１に記載されたような従来の嵌め殺し窓では、障子に当接する突片を窓枠に四周連続して形成しておく必要があり、そのような突片を有する揺動開閉タイプの窓（開き窓や、辷り出し窓等）であれば枠材や框材を嵌め殺し窓用に転用しやすいが、引違い窓や上げ下げ窓等のスライド開閉窓用の枠材や框材を嵌め殺し窓用に転用することは困難であるとともに、スライド開閉窓と嵌め殺し窓とで外観や内観が異なってしまうことから、デザインの統一感が得られずに意匠性を高めることが困難になるという問題がある。
【０００５】
本発明の目的は、スライド開閉窓との部品の共通化を図って意匠性を向上させることができる建具を提供することにある。
【課題を解決するための手段】
【０００６】
本発明の建具は、外壁開口部に固定される枠体と、この枠体内部に固定される固定障子とを備えた建具であって、前記枠体は、上枠、下枠、および左右の縦枠からなる枠材を四周枠組みして形成され、前記上枠および下枠、または前記左右の縦枠には、室内外一対の可動障子を左右または上下に案内可能な室内外の案内部が設けられ、前記固定障子は、上框、下框、および左右の縦框を四周框組みした内部に嵌め込んだ面材を有し、かつ前記枠体の開口内部に収まる大きさを有して形成されるとともに、前記枠体における室内外いずれかの案内部に対応した見込み位置に固定手段を介して固定され、前記固定障子が前記室内側案内部に対応した見込み位置に固定された場合において、これらの案内部を有した枠材と交差する一対の枠材のうち、少なくとも一方の枠材には、前記固定障子の室外側と対向する対向部を有する着脱部材が取り付けられ、前記固定障子が前記室外側案内部に対応した見込み位置に固定された場合において、これらの案内部を有した枠材と交差する一対の枠材のうち、少なくとも一方の枠材には、前記固定障子の室内側と対向する対向部を有する着脱部材が取り付けられていることを特徴とする。
【０００７】
ここで、枠体としては、案内部（レール部や案内溝部等）が上枠および下枠に形成されて室内外一対の可動障子を左右スライド開閉自在に支持可能な引違い窓用の枠体、あるいは案内部が左右の縦枠に形成されて室内外一対の可動障子を上下スライド開閉自在に支持可能な上げ下げ窓用の枠体が転用可能である。また、固定障子としては、前述したスライド開閉窓に支持される可動障子の框の一部等が転用可能である。このような引違い窓や上げ下げ窓等のスライド開閉窓用の枠体では、案内部が形成されない枠材（引違い窓用の枠体であれば左右の縦枠、上げ下げ窓用の枠体であれば上枠および下枠）に、可動障子の戸先框と当接して引き寄せる引き寄せ片が形成されていたり、戸先框との間に気密ラインを形成するためのヒレ部や気密材保持部等が形成されていたりすることが一般的である。そして、着脱部材は、引き寄せ片や、ヒレ部、気密材保持部等が枠材と一体に形成された場合には、これらを覆って設けられていればよく、引き寄せ片等が枠材に対して着脱自在な部材として構成された場合には、その部材に替えて設けられていればよい。
【０００８】
以上の本発明によれば、引違い窓や上げ下げ窓等のスライド開閉窓用の枠体を用いて、この枠体内部における室内側または室外側の案内部に対応した見込み位置に固定障子を固定した場合に、固定障子が固定されない側である室外側または室内側における前述の引き寄せ片等に対応した位置に着脱部材を取り付けたことで、この着脱部材の対向部と固定障子の框材との間に気密ラインを形成することができ、スライド開閉窓との間で枠材や框材の共通化を図ることができる。従って、スライド開閉窓と嵌め殺し窓との間で枠体や框材の共通化を図ることができ、製造装置やラインの簡素化や、押し出し型等の部品点数削減、部品や製品の在庫管理の容易化などが図れるため、製造コストを低減することが可能になる。また、一つの建物や建物群において、スライド開閉窓と嵌め殺し窓とで枠体や框材を共通化することで、各種の窓の外観や内観のデザインを統一することができ、意匠性の向上を図ることができる。
【０００９】
この際、本発明の建具では、前記室内外の案内部は、それぞれ室内側下部可動障子と室外側上部可動障子とを上下スライド案内可能に前記左右の縦枠に設けられており、前記固定障子が前記室内側案内部に対応した見込み位置に固定された場合には、前記着脱部材は、前記上枠の下側を覆って設けられるとともに、前記固定障子の室外側面と気密材を介して当接する室外気密部が前記対向部に形成され、前記固定障子が前記室外側案内部に対応した見込み位置に固定された場合には、前記着脱部材は、前記下枠の上側を覆って設けられるとともに、前記固定障子の室内側面と気密材を介して当接する室内気密部が前記対向部に形成されていることが好ましい。
このような構成によれば、上げ下げ窓用の枠体を用いて嵌め殺し窓を構成する際に、固定障子を室内側下部可動障子に対応した見込み位置に固定した場合には、室外側上部可動障子の戸先框が当接する上枠の下側を覆って着脱部材を設け、固定障子を室外側上部可動障子に対応した見込み位置に固定した場合には、室内側下部可動障子の戸先框が当接する下枠の上側を覆って着脱部材を設けることで、上枠または下枠に形成された前述の引き寄せ片等を隠蔽することができる。そして、着脱部材の対向部に室外または室内気密部を形成し、この気密部を固定障子の上框または下框と気密材を介して当接させることで、気密ラインが形成でき、固定障子の気密性、水密性を確保することができる。この際、着脱部材との間に気密ラインが形成される上框や下框以外の框材と枠体との間の気密ラインとしては、室内側下部可動障子や室外側上部可動障子における気密構造が転用可能であり、このようにすれば、さらなる部品点数の削減が可能になる。
【００１０】
さらに、本発明の建具では、前記固定障子の上框、下框、および左右の縦框のうちの三方の框材は、前記可動障子の召合せ框を除く三方の框材と同一断面を有して形成されていることが好ましい。
このような構成によれば、固定障子の框材をスライド開閉窓用可動障子の框材と共通化することで、部品点数の削減による製造コストの低減を図ることができるとともに、スライド開閉窓との外観や内観のデザインの統一感を一層高めることができる。
【００１１】
また、本発明の建具では、前記固定手段は、前記上枠、下枠、および左右の縦枠のうちの互いに対向する一対の枠材と、これら一対の枠材に近接対向する前記固定障子の上框、下框、および左右の縦框のうちの一対の框材とを互いに固定するものであって、前記一対の枠材に設けられた支持片および係止溝と、前記一対の框材に設けられて前記支持片に室内側から当接可能な当接片と、前記係止溝に挿通可能な挿通部を有しかつ前記一対の框材に室内側から当接可能な固定部材と、この固定部材を室内側から前記一対の框材に固着する固着具とを有して構成され、前記固定障子を前記枠体内部に室内側からセットした状態において、前記挿通部を前記係止溝に挿通させ、前記一対の框材に固定部材を当接させるとともに、この固定部材を当該一対の框材に前記固着具で固着することで、前記当接片が前記支持片に室内側から当接して見込み方向に移動不能に当該固定障子が固定されることが好ましい。
【００１２】
このような構成によれば、固定障子を室内側から枠体にセットした状態で固定手段により固定することで、従来の嵌め殺し窓における固定構造と比較して固定作業の作業性を向上させることができる。すなわち、従来の固定構造では、窓枠に対して室外側から障子をセットして重量の大きな障子を支持した状態で、固定作業を実施しなければならないため、作業性が低下してしまっていたのに対し、本発明の固定構造では、室内側から固定障子を室外側に押しつけるようにして支持することができ、その状態で固定部材および固着具によって容易に固定することができる。従って、２階以上の高所等に設けられる窓に固定障子を取り付ける場合であっても、大がかりな障子の脱落防止手段を設ける必要がなく、取り付け施工のコストを低減することも可能になる。なお、このような本発明の固定構造は、前述したようなスライド開閉窓用の枠体を用いた場合に限られず、任意の形態の枠体と固定障子とを有した建具にも適用可能である。
【００１３】
この際、本発明の建具では、前記固定部材には、当該固定部材の室内側を覆うカバー材を係止する係止部が形成されていることが好ましい。
このような構成によれば、固定部材の係止部にカバー材を係止することで、固定部材が覆われるため、室内側に固定部材が露出せず、建具の内観意匠性を一層向上させることができる。
【発明を実施するための最良の形態】
【００１４】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１５】
〔第１実施形態〕
図１は、本発明の第１実施形態に係る建具である嵌め殺し窓（Ｆｉｘ窓）１を示す縦断面図である。図２は、嵌め殺し窓１を示す横断面図である。図３は、嵌め殺し窓１の上枠１１部分を拡大して示す縦断面図である。図４は、嵌め殺し窓１の縦枠１３部分を拡大して示す横断面図である。図５および図６は、それぞれ嵌め殺し窓１における固定障子２０の固定手順を説明する斜視図である。
図１および図２において、嵌め殺し窓１は、戸建て住宅等の建物の外壁開口部に設けられて建物の室内空間と室外空間とを仕切るサッシ窓であって、上枠１１、下枠１２、および左右の縦枠１３を四周枠組みした窓枠１０（枠体）と、窓枠１０の内部に固定された固定障子２０とを備えて構成されている。
【００１６】
窓枠１０は、後述するダブルハングタイプの上げ下げ窓２の窓枠１０を転用したものであって、左右の縦枠１３には、上げ下げ窓２の室外側上部障子３０と室内側下部障子４０とをそれぞれ上下にスライド開閉自在に案内可能な案内部としての室外側案内溝部１３１Ａと室内側案内溝部１３１Ｂとが形成されている。
固定障子２０は、上框２１、下框２２、および左右の縦框２３を四周框組みした内部に、ガラスパネル（複層ガラス）２４を嵌め込んで構成されている。この固定障子２０は、窓枠１０の内部開口に収まる大きさを有して形成され、上框２１を上枠１１に近接対向させ、下框２２を下枠１２に近接対向させ、左右の縦框２３を左右の縦枠１３に近接対向させるとともに、縦枠１３の室内側案内溝部１３１Ｂに対応した見込み位置に固定されている。
【００１７】
窓枠１０の上枠１１は、図３にも示すように、外壁開口部に固定されるアルミ押出形材製の上枠本体１１１と、この上枠本体１１１に取り付けられた着脱部材である固定障子用のアタッチメント１１２とを有して構成されている。上枠本体１１１は、後述する室外側上部障子３０を電動で開閉駆動する駆動装置３６を内蔵可能な下方に開口した全体略中空状、かつ室外側端部において下方に延びる見切り部１１１Ａを有して形成されている。上枠本体１１１の見切り部１１１Ａ室内側側面には、アタッチメント１１２を係合支持する第１係合部１１１Ｂおよび第２係合部１１１Ｃと、後述する上部障子用のアタッチメント１１４を係合支持する第３係合部１１１Ｄとが形成されている。また、上枠本体１１１の室内側下端縁には、アタッチメント１１２の室内端部を係合支持する第４係合部１１１Ｅが形成されている。
【００１８】
アタッチメント１１２は、それぞれアルミ押出形材製の室内部材１１２Ａおよび室外部材１１２Ｂと、樹脂製の断熱部材１１２Ｃとを連結して形成されている。アタッチメント１１２の室内部材１１２Ａには、上枠本体１１１の第４係合部１１１Ｅに係合される第１被係合部１１２Ｄが設けられ、室外部材１１２Ｂの室外側側面には、第１係合部１１１Ｂおよび第２係合部１１１Ｃにそれぞれ係合される第２被係合部１１２Ｅおよび第３被係合部１１２Ｆが設けられている。さらに、室内部材１１２Ａの下面には、固定障子２０の上框２１の上面室内側端部に当接する気密部材としてのモヘア１１２Ｇが取り付けられ、固定障子２０の室外側と対向する対向部としての室外部材１１２Ｂの室内側側面には、上框２１室外側側面上端部に当接する気密部材としてのＡＴ材１１２Ｈが取り付けられている。すなわち、アタッチメント１１２の対向部としての室外部材１１２Ｂの室内側側面によって、室外気密部が構成されている。以上のようなモヘア１１２ＧおよびＡＴ材１１２Ｈによって上枠１１と上框２１との間の気密ラインが形成され、気密性および水密性が確保できるようになっている。
【００１９】
このようなアタッチメント１１２は、上枠本体１１１に対して着脱可能に構成され、上枠１１の下面側を覆って設けられるとともに、室外部材１１２Ｂが固定障子２０の上框２１の室外側に位置して設けられている。そして、室外部材１１２Ｂの下面部が上枠本体１１１の見切り部１１１Ａ下面と、固定障子２０の上框２１下端縁との間に連続するようにして略同一面内に位置し、これにより嵌め殺し窓１の上部においてフラットな外観が形成できるようになっている。
【００２０】
次に、図４にも示すように、窓枠１０の縦枠１３は、外壁開口部に固定される縦枠本体１３１と、この縦枠本体１３１における見込み方向略中央部に形成された凹部１３１Ｃに係合して取り付けられた気密用のアタッチメント１３２と、室外側案内溝部１３１Ａを塞いで取り付けられたカバー材１３３とを有して構成されている。そして、固定障子２０の縦框２３における室外側側面には、気密部材としてのＡＴ材２３１が取り付けられており、このＡＴ材２３１がアタッチメント１３２の室内側側面に当接するようになっている。さらに、縦框２３における縦枠側の見込み面には、気密部材としてのモヘア２３２が取り付けられており、このモヘア２３２が縦枠１３における室内側案内溝部１３１Ｂよりも固定障子２０側の側面に当接するようになっている。これらのＡＴ材２３１およびモヘア２３２によって縦枠１３と縦框２３との間の気密ラインが形成され、気密性および水密性が確保できるようになっている。
【００２１】
以上のような縦枠１３において固定障子２０が固定されており、その固定構造は、支持片としてのアタッチメント１３２と、縦枠１３における室内側案内溝部１３１Ｂよりも室内側の側面に形成された係止溝１３１Ｄと、縦框２３に取り付けられてアタッチメント１３２に室内側から当接可能な当接片２３３と、係止溝１３１Ｄに挿通可能な挿通部２５１を有しかつ縦框２３に室内側から当接可能な固定部材２５と、この固定部材２５を室内側から縦框２３に固着する固着具としてのビス２６とを有して構成されている。当接片２３３は、クランク状の断面を有した金属板材から形成されたピース材であって、縦框２３の縦枠１３側の側面（見込み面）にビス止め固定されている。固定部材２５は、縦框２３の略全長に渡る長さ寸法を有して形成され、その所定位置（例えば、上下２箇所）から縦枠１３側に突出して挿通部２５１が形成されている。そして、係止溝１３１Ｄは、挿通部２５１に対応した縦枠１３側面に孔開け加工によって形成されている。さらに、固定部材２５の室内側には、固定部材２５を覆うカバー材２７が取り付けられており、固定部材２５には、カバー材２７を係止する２つの係止部２５２，２５３が形成されている。
【００２２】
このような固定構造における固定手順について、図５および図６も参照して説明する。  先ず、図５に示すように、固定障子２０を室内側から窓枠１０にセットする。この際、固定障子２０の下框２２を下枠１２に設けられたセッティングブロック（不図示）に載置して、固定障子２０の上下方向の位置決めを実施する。次に、当接片２３３およびＡＴ材２３１をアタッチメント１３２の室内側側面に当接させた状態において、固定部材２５の挿通部２５１を係止溝１３１Ｄに挿通させる。これにより、係止溝１３１Ｄの室内側端縁に挿通部２５１の室内側側面が当接するとともに、固定部材２５が縦框２３の室内面に当接して縦框２３を押圧することで固定障子２０が室外側に付勢される。次に、図６に示すように、固定部材２５を貫通して室内側からビス２６を縦框２３に螺合して固着することで、当接片２３３とアタッチメント１３２との当接、および挿通部２５１と係止溝１３１Ｄとの当接状態が維持され、固定障子２０が見込み方向に移動不能に窓枠１０に固定されるようになっている。
【００２３】
次に、以上のような嵌め殺し窓１と部材の多くが共通化された上げ下げ窓２について、図７〜図９に基づいて説明する。
図７は、嵌め殺し窓１と共通部材を有する上げ下げ窓２を示す縦断面図である。図８は、上げ下げ窓２を示す横断面図である。図９は、上げ下げ窓２の上枠１１部分を拡大して示す縦断面図である。
上げ下げ窓２は、前記嵌め殺し窓１と略同一の窓枠１０と、この窓枠１０の内部に支持された室外側の上部障子３０および室内側の下部障子４０と、上部障子３０の室内側に設けられた網戸３５とを備えて構成されている。これらの上部障子３０およ下部障子４０は、それぞれ前記縦枠１３の室外側案内溝部１３１Ａおよび室内側案内溝部１３１Ｂに沿って上下にスライド開閉可能に支持された可動障子である。
【００２４】
上部障子３０および下部障子４０は、それぞれ上框３１，４１、下框３２，４２、および左右の縦框３３，４３を四周框組みした内部に、ガラスパネル（複層ガラス）３４，４４を嵌め込んで構成されている。これらの上部障子３０の下框３２と下部障子４０の上框４１とで召合せ框が構成され、上部障子３０の上框３１と下部障子４０の下框４２とで戸先框が構成されており、召合せ框同士（下框３２と上框４１）が見込み方向に重なるとともに、戸先框（上框３１と下框４２）がそれぞれ上枠１１および下枠１２に当接することで、上げ下げ窓２が閉じられるようになっている。そして、上部障子３０は、上枠１１の上枠本体１１１に内蔵された駆動装置３６と、この駆動装置３６に接続されたチェーン３６１で上下に駆動され、図示しないスイッチのＯＮ、ＯＦＦによって開閉操作できるようになっている。一方、下部障子４０は、上枠本体１１１に内蔵されたバランサ４５に連結され、このバランサ４５で上方に付勢されており、小さな操作力で手動開閉可能になっている。
【００２５】
また、図９に示すように、上げ下げ窓２の上枠１１において、上枠本体１１１には、前述のアタッチメント１１２に替えて、下部障子４０の上方に位置する室内側カバー１１３と、上部障子用のアタッチメント１１４とが取り付けられている。室内側カバー１１３は、上枠本体１１１の第４係合部１１１Ｅに係合されて取り付けられ、この室内側カバー１１３に網戸３５の上端縁が係止されている。一方、上部障子用のアタッチメント１１４は、上枠本体１１１の第１係合部１１１Ｂおよび第３係合部１１１Ｄにそれぞれ係合されて取り付けられている。そして、アタッチメント１１４の室外側端部下面には、ＡＴ材１１４Ａが取り付けられており、上部障子３０を閉じた際に上框３１上端とＡＴ材１１４Ａとが当接可能になっている。さらに、上枠本体１１１における第２係合部１１１Ｃには、モヘア１１４Ｂが取り付けられており、上部障子３０を閉じた際に上框３１の室外側側面とモヘア１１４Ｂとが当接可能になっている。これらのＡＴ材１１４Ａおよびモヘア１１４Ｂによって上枠１１と上框３１との間の気密ラインが形成され、気密性および水密性が確保できるようになっている。
【００２６】
また、上部障子３０の縦框３３と縦枠１３との間の気密ラインは、図８の左側に示すように、縦框３３の室内側側面に設けられたＡＴ材３３１とアタッチメント１３２とが摺接し、縦框３３の見込み面室外側に設けられたモヘア３３２と縦枠本体１３１とが摺接することによって形成されている。この際、アタッチメント１３２は、閉鎖状態の上部障子３０に重なる高さ領域において、前述の嵌め殺し窓１における縦枠１３のアタッチメント１３２と室内外の向きが逆になるように取り付けられている。
一方、下部障子４０の縦框４３と縦枠１３との間の気密ラインは、図８の右側に示すように、前述の嵌め殺し窓１の固定障子２０の場合と略同様であり、ＡＴ材２３１がアタッチメント１３２に摺接し、モヘア２３２が縦枠本体１３１に摺接することによって形成されている。
【００２７】
以上のような上げ下げ窓２では、窓枠１０において、上枠１１の上枠本体１１１と、下枠１２と、縦枠１３の縦枠本体１３１およびアタッチメント１３２との各部材が、前述の嵌め殺し窓１の各部材と共通化されている、すなわち同一断面を有して形成されている。さらに、上げ下げ窓２の下部障子４０における下框４２および縦框４３が、嵌め殺し窓１における固定障子２０の下框２２および縦框２３と共通化されている。すなわち、下部障子４０における召合せ框である上框４１を除いた三方の框材と、固定障子２０における三方の框材とが同一断面を有して形成されている。
【００２８】
次に、以上のような嵌め殺し窓１と上げ下げ窓２とを隣接配置して構成した連窓３について、図１０および図１１に基づいて説明する。
図１０は、嵌め殺し窓１と上げ下げ窓２とを用いて構成した連窓３を示す外観姿図である。図１１は、連窓３の連結部分を示す横断面図である。
連窓３は、上げ下げ窓２の左右両側に隣接して嵌め殺し窓１が配置され、これらの上げ下げ窓２と嵌め殺し窓１とが連結方立５０によって連結されて構成されている。連結方立５０は、嵌め殺し窓１および上げ下げ窓２の各々の縦枠１３同士を連結するものであって、それぞれアルミ形材製の室内部材５１、室外部材５２と、樹脂製の断熱部材５３とを有して構成されている。そして、連結方立５０には、複数の係合片５１１が形成されており、これらの係合片５１１と縦枠１３の係合片１３１Ｅとが互いに係合するとともに、室内側からビス止めすることによって連結方立５０と縦枠１３とが連結されるようになっている。
【００２９】
このような連窓３においては、上げ下げ窓２の下部障子４０と、嵌め殺し窓１の固定障子２０とが、略同一の見込み位置に設けられるとともに、窓枠１０の上枠１１、下枠１２、縦枠１３と、固定障子２０および下部障子４０の下框２２，４２および縦框２３，４３が共通化されているため、内観および外観上、統一感のあるデザインが得られるようになっている。
【００３０】
このような本実施形態によれば、以下のような効果がある。
（１）すなわち、上げ下げ窓２に利用可能な窓枠１０を嵌め殺し窓１に用い、この窓枠１０の室内側案内溝部１３１Ｂに対応した見込み位置に固定障子２０が固定され、固定障子２０が固定されない側（室外側）の上枠１１にアタッチメント１１２を取り付けたことで、このアタッチメント１１２によって気密ラインを形成したり、固定障子２０の上框２１を覆ってフラットな外観を形成したりすることができる。従って、嵌め殺し窓１と上げ下げ窓２との間で窓枠１０の共通化を図ることができ、各々の窓専用の枠材を製造する必要がなくなり、製造装置やラインの簡素化や、押し出し型等の部品点数削減、部品や製品の在庫管理の容易化などが図れるため、製造コストを低減することが可能になる。
【００３１】
（２）また、一つの建物や建物群において、嵌め殺し窓１と上げ下げ窓２とで窓枠１０を共通化することで、各種の窓の外観や内観のデザインを統一することができ、意匠性の向上を図ることができる。さらに、嵌め殺し窓１の固定障子２０の下框２２および縦框２３と、上げ下げ窓２の下部障子４０の下框４２および縦框４３とが共通化されているので、部品点数の削減による製造コストの低減をより一層図ることができるとともに、嵌め殺し窓１と上げ下げ窓２とにおける外観や内観のデザインの統一感を一層高めることができる。
【００３２】
（３）さらに、嵌め殺し窓１において、固定障子２０を室内側から窓枠１０にセットした状態で固定作業が実施できるので、室外側から障子をセットして固定作業を実施するような固定構造と比較して、固定作業の作業性を向上させることができる。また、２階以上の高所等に嵌め殺し窓１を設ける場合などには、大がかりな障子の脱落防止手段を設ける必要がなく、取り付け施工のコストを低減することも可能になる。
【００３３】
（４）そして、本実施形態の固定構造によれば、縦枠１３にスリット状の係止溝１３１Ｄを形成しておき、この係止溝１３１Ｄに固定部材２５の挿通部２５１を挿通させるとともに、固定部材２５を室内側から貫通するビス２６を縦框２３に固着するだけで、固定障子２０を固定することができるので、固定部材２５を縦枠１３側にビス止めする必要がなく、このビス止めのスペースを確保しなくてもよいことから、縦枠１３の見込み寸法、特に固定障子２０の室内側側面よりも室内側に突出する部分の寸法を小さくすることができ、部材寸法の最小化および意匠性の向上を図ることができる。
【００３４】
〔第２実施形態〕
次に、本発明の第２実施形態について図１２〜図１５に基づいて説明する。
図１２は、本発明の第２実施形態に係る建具である嵌め殺し窓１Ａを示す縦断面図である。図１３は、嵌め殺し窓１を示す横断面図である。図１４は、嵌め殺し窓１の下枠１２部分を拡大して示す縦断面図である。図１５は、嵌め殺し窓１の縦枠１３部分を拡大して示す横断面図である。
本実施形態における嵌め殺し窓１Ａは、固定障子の取付位置が前記第１実施形態と大きく相違するもので、他の構成は第１実施形態と略同様である。以下、相違点について詳しく説明する。
【００３５】
嵌め殺し窓１Ａは、前記嵌め殺し窓１と略同一の窓枠１０と、この窓枠１０の内部における室外寄りの位置（縦枠１３の室外側案内溝部１３１Ａに対応した見込み位置）に固定された固定障子６０とを備えて構成されている。固定障子６０は、前記上げ下げ窓２における上部障子３０の上框３１および縦框３３と略同一断面を有する上框６１および縦框６３と、前記上部障子３０の召合せ框である下框３２と異なる断面を有した下框６２とを有し、これらの上框６１、下框６２および左右の縦框６３を四周框組みした内部に、ガラスパネル（複層ガラス）６４を嵌め込んで構成されている。
【００３６】
窓枠１０の上枠１１は、前記上げ下げ窓２と同様の室内側カバー１１３とアタッチメント１１４とが上枠本体１１１に取り付けられて構成されている。また、下枠１２の上面には、着脱部材である固定障子用のアタッチメント１２１が取り付けられている。このアタッチメント１２１は、図１４に示すように、それぞれアルミ形材製の室内部材１２１Ａおよび室外部材１２１Ｂと、樹脂製の断熱部材１２１Ｃとを有して構成され、下枠１２の室内側端部に設けられた気密部材保持部１２Ａに係合されて取り付けられている。なお、この気密部材保持部１２Ａは、前記嵌め殺し窓１における固定障子２０の下框２２に当接するモヘア、あるいは前記上げ下げ窓２における下部障子４０の下框４２に当接するモヘアを保持するために設けられたものであって、本実施形態では、モヘアを取り外した上でアタッチメント１２１が係合保持されている。そして、アタッチメント１２１における固定障子６０の室内側と対向する対向部としての室内部材１２１Ａの室外側端部には、気密部材であるモヘア１２１Ｄが取り付けられており、このモヘア１２１Ｄが下框６２の室内側側面に当接するようになっている。すなわち、アタッチメント１２１の対向部としての室内部材１２１Ａの室外側端部によって、室内気密部が構成されている。
【００３７】
また、図１３および図１５に示すように、窓枠１０の縦枠１３における室外側案内溝部１３１Ａに固定部材６５が固定され、この固定部材６５を介して固定障子６０の縦框６３が固定されるようになっている。また、縦枠１３の室内側案内溝部１３１Ｂには、カバー材１３４が取り付けられ、このカバー材１３４によって室内側案内溝部１３１Ｂが塞がれるようになっている。固定障子６０の縦框６３には、前記上げ下げ窓２における上部障子３０の縦框３３と同様に、気密部材としてのＡＴ材６３１とモヘア６３２とが取り付けられており、ＡＴ材６３１がアタッチメント１３２の室外側側面に当接し、モヘア６３２が縦枠本体１３１に当接するようになっている。
【００３８】
このような本実施形態によれば、以下のような効果がある。
（５）すなわち、嵌め殺し窓１や上げ下げ窓２に利用可能な窓枠１０を用い、この窓枠１０の室外側案内溝部１３１Ａに対応した見込み位置に固定障子６０を固定して嵌め殺し窓１Ａが構成され、固定障子６０が固定されない側（室内側）の下枠１２にアタッチメント１２１を取り付けたことで、このアタッチメント１２１によって気密ラインを形成することができる。従って、嵌め殺し窓１や上げ下げ窓２との間で窓枠１０の共通化を図ることができ、前述と同様に、製造コストを低減することが可能になる。
【００３９】
（６）また、嵌め殺し窓１Ａの窓枠１０や固定障子６０の上框６１および縦框６３が、嵌め殺し窓１や上げ下げ窓２と共通化されているので、部品点数の削減を図ることができるとともに、各種の窓において外観や内観のデザインを統一することができ、意匠性の向上を図ることができる。そして、嵌め殺し窓１Ａの固定障子６０が上げ下げ窓２の上部障子３０と略同一の見込み位置に取り付けられているので、固定障子６０と上部障子３０とでデザインの統一感を一層高めることができる。
【００４０】
なお、本発明は、前記実施形態に限定されるものではなく、本発明の目的を達成できる他の構成等を含み、以下に示すような変形等も本発明に含まれる。
例えば、前記実施形態においては、上げ下げ窓２の上部障子３０および下部障子４０を案内可能な室内外の案内溝部１３１Ａ，１３１Ｂを窓枠１０の縦枠１３に設け、これらの案内溝部１３１Ａ，１３１Ｂのいずれかに対応した見込み位置に固定障子２０，６０を固定したが、これに限らず、引き違い窓のように上枠と下枠とに案内部であるレール部が設けられた窓枠を用い、この窓枠における室内側レール部または室外側レール部に対応した位置に固定障子を固定してもよい。
さらに、嵌め殺し窓１，１Ａと窓枠１０が転用可能なスライド開閉窓としては、室内外両方の障子が上下または左右にスライド開閉可能なものに限らず、室内外のいずれか一方の障子がスライド開閉可能で、かつ他方の障子が固定されたシングルハングタイプの上げ下げ窓や、片引き窓等であってもよい。
【００４１】
また、前記実施形態では、嵌め殺し窓１，１Ａと上げ下げ窓２との間で窓枠１０を共通化するとともに、固定障子２０，６０と上部障子３０または下部障子４０との間で、召合せ框を除く三方の框材を共通化したが、四周全ての框材を共通化してもよく、また框材を共通化しなくてもよい。
また、前記実施形態では、嵌め殺し窓１と上げ下げ窓２とを左右に隣接させて連窓３を構成したが、これらを上下に隣接させて段窓を構成してもよい。さらに、連窓や段窓を構成するために嵌め殺し窓１，１Ａの上下または左右に隣接させる窓としては、上げ下げ窓２に限らず、引違い窓や片引き窓等であってもよい。
【００４２】
また、前記第１実施形態では、上枠１１における上枠本体１１１の下方の開口全体を覆って着脱部材であるアタッチメント１１２を取り付けたが、このような構成に限らず、着脱部材としては、アタッチメント１１２の室外部材１１２Ｂによって構成される対向部を少なくとも有していればよい。すなわち、図９に示すような室内側カバー１１３と、前記アタッチメント１１２のうちの室外部材１１２Ｂ部分のみで構成した着脱部材とが上枠本体１１１に取り付けられていてもよい。さらには、図９の室内側カバー１１３と上部障子用のアタッチメント１１４とが取り付けられた上枠１１において、アタッチメント１１４の下側を覆うような着脱部材が取り付けられていてもよい。
また、前記実施形態では、着脱部材であるアタッチメント１１２，１２１に気密材保持部を形成し、この気密材保持部に気密部材としてのＡＴ材１１２Ｈやモヘア１２１Ｄが保持されて上框２１や下框６２と当接するように構成されていたが、これに限らず、気密材保持部を固定障子２０，６０の框材（上框２１や下框６２）側に形成して気密部材を保持させ、この気密部材が着脱部材に当接するように構成してもよい。
【００４３】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４４】
【図１】本発明の第１実施形態に係る建具を示す縦断面図である。
【図２】前記建具を示す横断面図である。
【図３】前記建具の上枠部分を拡大して示す縦断面図である。
【図４】前記建具の縦枠部分を拡大して示す横断面図である。
【図５】前記建具における固定障子の固定手順を説明する斜視図である。
【図６】前記建具における固定障子の固定手順を説明する斜視図である。
【図７】前記建具と共通部材を有する他の建具を示す縦断面図である。
【図８】前記他の建具を示す横断面図である。
【図９】前記他の建具の上枠部分を拡大して示す縦断面図である。
【図１０】前記建具を用いて構成した連窓を示す外観姿図である。
【図１１】前記連窓の連結部分を示す横断面図である。
【図１２】本発明の第２実施形態に係る建具を示す縦断面図である。
【図１３】前記建具を示す横断面図である。
【図１４】前記建具の下枠部分を拡大して示す縦断面図である。
【図１５】前記建具の縦枠部分を拡大して示す横断面図である。
【符号の説明】
【００４５】
１０…枠体である窓枠、１１…上枠、１２…下枠、１３…縦枠、２０，６０…固定障子、２１，６１…上框、２２，６２…下框、２３，６３…縦框、２４，６４…面材であるガラスパネル、２５…固定部材、２６…固着具であるビス、２７…カバー材、３０…可動障子である上部障子、４０…可動障子である下部障子、１１２，１２１…着脱部材であるアタッチメント、１１２Ｂ…室外気密部（対向部）である室外部材、１２１Ａ…室内気密部（対向部）である室内部材、１３１Ａ…案内部である室外側案内溝部、１３１Ｂ…案内部である室内側案内溝部、１３１Ｄ…係止溝、１３２…支持片であるアタッチメント、２３３…当接片、２５１…挿通部、２５２，２５３…係止部。
【図１】
0004608445.tif 000002
【図２】
0004608445.tif 000003
【図３】
0004608445.tif 000004
【図４】
0004608445.tif 000005
【図５】
0004608445.tif 000006
【図６】
0004608445.tif 000007
【図７】
0004608445.tif 000008
【図８】
0004608445.tif 000009
【図９】
0004608445.tif 000010
【図１０】
0004608445.tif 000011
【図１１】
0004608445.tif 000012
【図１２】
0004608445.tif 000013
【図１３】
0004608445.tif 000014
【図１４】
0004608445.tif 000015
【図１５】
0004608445.tif 000016